(57)【特許請求の範囲】
【請求項１】
入力するデータを記録するデータ記録部と、
データ記録に関する情報を保持しておく記録情報保持手段と、
前記記録情報保持手段が保持する前記情報に基づき、前記データ記録部へのデータ書き込み位置及び前記データ記録部からのデータ読み出し位置をそれぞれ与える第１及び第２指示信号を作成し出力する指示手段と、
前記第１指示信号に基づき前記データ記録部へのデータ記録を制御するデータ記録制御手段と、
前記第２指示信号に基づき前記データ記録部に記録されているデータの読み出しを制御するデータ読み出し制御手段とを備え、
前記記録情報保持手段は、
各記録単位内のデータの前記データ記録部上の記録位置の情報を各情報記憶位置毎に記憶する記録位置情報記憶部と、
記録単位毎の前記記録位置情報記憶部の前記情報記憶位置を含む検索情報を記憶する検索情報記憶部と、
前記データ記録部上の記録可能な位置の情報を記憶する記録可能位置情報記憶部とを備えており、
各記録単位での入力データの記録動作においては、
（ａ）前記指示手段は前記記録位置情報記憶部にアクセスして、前記情報記憶位置の内で空き領域となっているものの中から今回使用する情報記憶位置を選定し、その後、前記検索情報記憶部にアクセスして、選定した情報記憶位置を前記検索情報として前記検索情報記憶部に記憶させた上で、
（ｂ）前記指示手段は前記記録可能位置情報記憶部にアクセスして、前記記録可能位置情報の中から今回使用する記録可能位置情報を前記データ記録部への前記データ書き込み位置として選定し、選定した記録可能位置情報を前記第１指示信号として出力すると共に、
（ｃ）前記指示手段は前記記録位置情報記憶部にアクセスして、前記入力データを記録した前記データ記録部上の記録位置情報を、前記選定した情報記憶位置に追加記憶させ、且つ、前記指示手段は前記記録可能位置情報記憶部にアクセスして、前記選定した記録可能位置情報を抹消する一方、
各記録単位での記録データの再生動作においては、
（ｄ）前記指示手段は前記検索情報記憶部にアクセスして、再生すべき前記記録データについての前記記録位置情報が前記記録位置情報記憶部上の何れの情報記憶位置にあるのかを確認し、確認によって得られた情報に基づき前記記録位置情報記憶部をアクセスして該当する情報記憶位置に記憶されている記録位置情報を取り出し、取り出した当該記録位置情報を前記データ記録部からの前記データ読み出し位置として前記第２指示信号を作成して出力することを特徴とする、
記録再生装置。
【請求項２】
請求項１記載の記録再生装置であって、
前記データ記録部は記録媒体であり、
前記記録情報保持手段は前記記録媒体の外部に設けられた記録情報記憶回路であり、
前記指示手段は前記記録情報記憶回路との間で直接に信号のやり取りを行うことを特徴とする、
記録再生装置。
【請求項３】
請求項２記載の記録再生装置であって、
前記記録媒体はディスク型媒体であり、
前記記録情報記憶回路は前記ディスク型媒体よりも高速応答動作が可能な記憶回路であることを特徴とする、
記録再生装置。
【請求項４】
請求項１記載の記録再生装置であって、
前記記録情報保持手段は、第１記録情報保持手段及び前記第１記録情報保持手段よりも高速応答動作が可能な第２記録情報保持手段を有し、
前記第１記録情報保持手段は、前記記録位置情報記憶部、前記検索情報記憶部及び前記記録可能位置情報記憶部にそれぞれ対応する内容の情報を記憶する第１記録位置情報記憶部、第１検索情報記憶部及び第１記録可能位置情報記憶部を備えており、
前記第２記録情報保持手段は、前記第１記録位置情報記憶部、前記第１検索情報記憶部及び前記第１記録可能位置情報記憶部のそれぞれに記憶されている情報をそれぞれ複製可能な、第２記録位置情報記憶部、第２検索情報記憶部及び第２記録可能位置情報記憶部を構成し得る領域を備えており、
前記記録再生装置の主電源の投入時に、前記指示手段は、前記第１記録位置情報記憶部、前記第１検索情報記憶部及び前記第１記録可能位置情報記憶部の内のｋ（１≦ｋ≦３）個の情報記憶部に記憶されている情報を抽出し、前記第２記録位置情報記憶部、前記第２検索情報記憶部及び前記第２記録可能位置情報記憶部の内のｋ個の対応する複製情報記憶部に前記抽出情報を記憶させると共に、
前記第１記録位置情報記憶部、前記第１検索情報記憶部及び前記第１記録可能位置情報記憶部の内の（３−ｋ）個の情報記憶部と、前記第２記録位置情報記憶部、前記第２検索情報記憶部及び前記第２記録可能位置情報記憶部の内のｋ個の前記複製情報記憶部とから成る部分が、前記記録情報保持手段が備える前記記録位置情報記憶部、前記検索情報記憶部及び前記記録可能位置情報記憶部の３つの情報記憶部を構成することを特徴とする、
記録再生装置。
【請求項５】
請求項４記載の記録再生装置であって、
前記データ記録部は記録媒体であり、
前記第１及び第２記録情報保持手段は前記記録媒体の外部に設けられた第１及び第２記憶回路であり、
前記指示手段は、前記第１記憶回路内の前記（３−ｋ）個の情報記憶部及び前記第２記憶回路内の前記ｋ個の複製情報記憶部との間で直接に信号のやり取りを行うことを特徴とする、
記録再生装置。
【請求項６】
請求項１記載の記録再生装置であって、
記録媒体を更に備え、
前記記録媒体は、その内部に、前記データ記録部と前記記録情報保持手段とを有することを特徴とする、
記録再生装置。
【請求項７】
請求項１記載の記録再生装置であって、
記録媒体を更に備え、
前記記録媒体は、その内部に、前記データ記録部と前記記録情報保持手段の一部とを有し、
前記記録情報保持手段の他部は前記記録媒体の外部に設けられた記録情報記憶回路より成ることを特徴とする、
記録再生装置。
【請求項８】
請求項１記載の記録再生装置であって、
前記検索情報記憶部には、記録単位毎のインデックス値と、前記記録位置情報記憶部の参照値であるエントリ値とが少なくとも記載されており、
前記記録位置情報記憶部には、当該エントリ値と、当該エントリ値で示される前記データ記録部上で連続した位置にある既連続記録部分の位置情報と、当該エントリ値での前記既連続記録部分の次の既連続記録部分を示している次のエントリ値とが、各エントリ値毎に記載されており、
前記記録可能位置情報記憶部には、前記データ記録部上の連続末記録部分の位置を示す情報が記載されており、
前記既連続記録部分及び前記連続末記録部分は共にその連続部分の先頭位置と末尾位置とで示されており、
前記連続部分の途中の位置情報は、前記記録位置情報記憶部上及び前記記録可能位置情報記憶部上には記載されていないことを特徴とする、
記録再生装置。
【請求項９】
デジタル放送を受信する放送受信手段と、
前記放送受信手段の出力に接続された請求項１乃至請求項８の何れかに記載の前記記録再生装置とを備えたことを特徴とする、
デジタル放送受信機。
【発明の詳細な説明】
【０００１】
【発明の属する技術分野】
本発明はデータの記録再生技術に関しており、特にデジタル放送受信機において用いられる記録再生技術に関するものである。
【０００２】
【従来の技術】
デジタル放送で採用されるＭＰＥＧストリーム（それは、映像や音声や付随情報等のデータの配列から成る）を記録再生できる従来の装置としては、特開平１１−３９８５０号公報に開示された記録再生装置がある。図１８は、同公報に開示されたコンピュータを基にした記録再生装置の構成例である。図１８において、９０１はマイクロプロセッサ、９０２はメインメモリ、９０３はバスブリッジ、９０４はＩ／Ｏ（Input/Output）インターフェイス、９０５は補助記憶インターフェイス、９０６は補助記憶インターフェース９０５に接続されたハードディスク、９０７はＴＶチューナを内蔵したＭＰＥＧリアルタイムエンコーダボード、９０８はＡＶ処理回路、９０９はＡＶ処理回路９０９が画像表示処理に使用するメモリ（ＶＲＡＭ）である。
【０００３】
マイクロプロセッサ９０１、メインメモリ９０２、およびバスブリッジ９０３は相互に内部バスを介して接続されており、残りのブロックは、拡張バスを介して相互に接続されている。バスブリッジ９０３は、内部バスと、例えばＰＣＩ（Peripheral Component Interconnect）バスやＩＳＡ（Industry Standard Architecture）バスなどの拡張バスとの間でのデータのやりとりを制御している。
【０００４】
拡張バスには、補助記憶インターフェイス９０５、ＭＰＥＧリアルタイムエンコーダボード９０７、及びＡＶ処理回路９０８が接続されており、補助記憶インターフェイス９０５にはハードディスク９０６が接続されている。
【０００５】
マイクロプロセッサ９０１は、ハードディスク９０６に記録されたオペレーティングシステムの制御の下で、同ハードディスク９０６に記録された各種のアプリケーションプログラムを実行することで、例えば、画像の記録、再生、編集、デコード処理や、その他の所定の処理を行う。
【０００６】
ＭＰＥＧリアルタイムエンコーダボード９０７は、画像および音声を、リアルタイムで、例えば、ＭＰＥＧ１の規格に準拠してエンコードするものであり、テレビジョン放送番組を受信するＴＶチューナを内蔵しており、このＴＶチューナが受信した番組をＭＰＥＧエンコードすることができる。
【０００７】
ＡＶ処理回路９０８は、例えば、ＶＧＡ（Video Graphics Array）や３次元アクセラレータ（いずれも図示せず）などで構成され、ディスプレイへの表示やスピーカへの音声出力を行う。また、ＡＶ処理回路９０８は、ＮＴＳＣエンコーダを内蔵しており、例えば、ＶＴＲなどにＮＴＳＣ方式に準拠した画像を出力することができる。
【０００８】
ハードディスク９０６に記録されているアプリケーションプログラムにより、画像の記録、再生、編集、デコードなどの処理がなされる。例えば、ＭＰＥＧリアルタイムエンコーダボード９０７のＴＶチューナで受信したテレビジョン放送番組をＭＰＥＧストリームにエンコードし、そのデータを拡張バスを介してハードディスク９０６に記録する。更には、その記録中に、既に録画済みの映像（画像）の任意の場面の再生なども行うようになされている。
【０００９】
【発明が解決しようとする課題】
以上のように構成された従来の記録再生装置では、コンピュータを基本として用いているため、ハードディスク上へのデータ記録はオペレーティングシステムが提供するファイルシステムに則って実行されている。そのため、次の様な問題点が生ずる。
【００１０】
即ち、▲１▼従来技術では、記録するデータが映像データであっても、あるいは記録した映像内容に関する付帯情報であっても、オペレーティングシステムが取り扱う最小単位毎の全てに関連付けを記載したファイルテーブルが用いられるため、映像データを記録するために大容量のハードディスクを用いた場合には、そのファイルテーブル自体の容量も非常に大きなものにならざるを得ないという問題点がある。
【００１１】
▲２▼また、その様な大きなファイルテーブルへのアクセス頻度も多くならざるを得なくなり、デジタル放送で採用される高精細（ＨＤ）映像のストリームに対応した記録速度を得るためには、ファイル管理も含めたハードディスク制御をより一層高速化する必要が生じ、そのためには高価なＣＰＵを必要とするという問題点がある。
【００１２】
▲３▼加えて、ハードディスク内部のコピーやハードディスクの付け替え等により容易に記録内容を複製できるという問題点もある。
【００１３】
この発明は上記のような問題点▲１▼，▲２▼，▲３▼を解消するためになされたものであり、その第１の目的はコンピュータのオペレーティングシステムのファイルシステムに則さずとも、所定のデータ記録が可能で、かつ、ファイルシステム自体の規模をより小さくできるようにすることにある。更に本発明の第２の目的は、記録再生におけるファイルシステム自体へのアクセス頻度を減らすことで、高価なＣＰＵを用いなくてもハードディスク本来の動作速度を十分に発揮させて高精細映像の高速なストリームにも対応可能ならしめることにある。更に本発明の第３の目的は、他のパーソナルコンピュータからは容易にその記録内容を取り出せない記録再生装置およびその機能を有する受信機を得ることにある。
【００１４】
【課題を解決するための手段】
請求項１に係る発明は、入力するデータを記録するデータ記録部と、データ記録に関する情報を保持しておく記録情報保持手段と、前記記録情報保持手段が保持する前記情報に基づき、前記データ記録部へのデータ書き込み位置及び前記データ記録部からのデータ読み出し位置をそれぞれ与える第１及び第２指示信号を作成し出力する指示手段と、前記第１指示信号に基づき前記データ記録部へのデータ記録を制御するデータ記録制御手段と、前記第２指示信号に基づき前記データ記録部に記録されているデータの読み出しを制御するデータ読み出し制御手段とを備え、前記記録情報保持手段は、各記録単位内のデータの前記データ記録部上の記録位置の情報を各情報記憶位置毎に記憶する記録位置情報記憶部と、記録単位毎の前記記録位置情報記憶部の前記情報記憶位置を含む検索情報を記憶する検索情報記憶部と、前記データ記録部上の記録可能な位置の情報を記憶する記録可能位置情報記憶部とを備えており、各記録単位での入力データの記録動作においては、（ａ）前記指示手段は前記記録位置情報記憶部にアクセスして、前記情報記憶位置の内で空き領域となっているものの中から今回使用する情報記憶位置を選定し、その後、前記検索情報記憶部にアクセスして、選定した情報記憶位置を前記検索情報として前記検索情報記憶部に記憶させた上で、（ｂ）前記指示手段は前記記録可能位置情報記憶部にアクセスして、前記記録可能位置情報の中から今回使用する記録可能位置情報を前記データ記録部への前記データ書き込み位置として選定し、選定した記録可能位置情報を前記第１指示信号として出力すると共に、（ｃ）前記指示手段は前記記録位置情報記憶部にアクセスして、前記入力データを記録した前記データ記録部上の記録位置情報を、前記選定した情報記憶位置に追加記憶させ、且つ、前記指示手段は前記記録可能位置情報記憶部にアクセスして、前記選定した記録可能位置情報を抹消する一方、各記録単位での記録データの再生動作においては、（ｄ）前記指示手段は前記検索情報記憶部にアクセスして、再生すべき前記記録データについての前記記録位置情報が前記記録位置情報記憶部上の何れの情報記憶位置にあるのかを確認し、確認によって得られた情報に基づき前記記録位置情報記憶部をアクセスして該当する情報記憶位置に記憶されている記録位置情報を取り出し、取り出した当該記録位置情報を前記データ記録部からの前記データ読み出し位置として前記第２指示信号を作成して出力することを特徴とする。
【００１５】
請求項２に係る発明は、請求項１記載の記録再生装置であって、前記データ記録部は記録媒体であり、前記記録情報保持手段は前記記録媒体の外部に設けられた記録情報記憶回路であり、前記指示手段は前記記録情報記憶回路との間で直接に信号のやり取りを行うことを特徴とする。
【００１６】
請求項３に係る発明は、請求項２記載の記録再生装置であって、前記記録媒体はディスク型媒体であり、前記記録情報記憶回路は前記ディスク型媒体よりも高速応答動作が可能な記憶回路であることを特徴とする。
【００１７】
請求項４に係る発明は、請求項１記載の記録再生装置であって、前記記録情報保持手段は、第１記録情報保持手段及び前記第１記録情報保持手段よりも高速応答動作が可能な第２記録情報保持手段を有し、前記第１記録情報保持手段は、前記記録位置情報記憶部、前記検索情報記憶部及び前記記録可能位置情報記憶部にそれぞれ対応する内容の情報を記憶する第１記録位置情報記憶部、第１検索情報記憶部及び第１記録可能位置情報記憶部を備えており、前記第２記録情報保持手段は、前記第１記録位置情報記憶部、前記第１検索情報記憶部及び前記第１記録可能位置情報記憶部のそれぞれに記憶されている情報をそれぞれ複製可能な、第２記録位置情報記憶部、第２検索情報記憶部及び第２記録可能位置情報記憶部を構成し得る領域を備えており、前記記録再生装置の主電源の投入時に、前記指示手段は、前記第１記録位置情報記憶部、前記第１検索情報記憶部及び前記第１記録可能位置情報記憶部の内のｋ（１≦ｋ≦３）個の情報記憶部に記憶されている情報を抽出し、前記第２記録位置情報記憶部、前記第２検索情報記憶部及び前記第２記録可能位置情報記憶部の内のｋ個の対応する複製情報記憶部に前記抽出情報を記憶させると共に、前記第１記録位置情報記憶部、前記第１検索情報記憶部及び前記第１記録可能位置情報記憶部の内の（３−ｋ）個の情報記憶部と、前記第２記録位置情報記憶部、前記第２検索情報記憶部及び前記第２記録可能位置情報記憶部の内のｋ個の前記複製情報記憶部とから成る部分が、前記記録情報保持手段が備える前記記録位置情報記憶部、前記検索情報記憶部及び前記記録可能位置情報記憶部の３つの情報記憶部を構成することを特徴とする。
【００１８】
請求項５に係る発明は、請求項４記載の記録再生装置であって、前記データ記録部は記録媒体であり、前記第１及び第２記録情報保持手段は前記記録媒体の外部に設けられた第１及び第２記憶回路であり、前記指示手段は、前記第１記憶回路内の前記（３−ｋ）個の情報記憶部及び前記第２記憶回路内の前記ｋ個の複製情報記憶部との間で直接に信号のやり取りを行うことを特徴とする。
【００１９】
請求項６に係る発明は、請求項１記載の記録再生装置であって、記録媒体を更に備え、前記記録媒体は、その内部に、前記データ記録部と前記記録情報保持手段とを有することを特徴とする。
【００２０】
請求項７に係る発明は、請求項１記載の記録再生装置であって、記録媒体を更に備え、前記記録媒体は、その内部に、前記データ記録部と前記記録情報保持手段の一部とを有し、前記記録情報保持手段の他部は前記記録媒体の外部に設けられた記録情報記憶回路より成ることを特徴とする。
【００２１】
請求項８に係る発明は、請求項１記載の記録再生装置であって、前記検索情報記憶部には、記録単位毎のインデックス値と、前記記録位置情報記憶部の参照値であるエントリ値とが少なくとも記載されており、前記記録位置情報記憶部には、当該エントリ値と、当該エントリ値で示される前記データ記録部上で連続した位置にある既連続記録部分の位置情報と、当該エントリ値での前記既連続記録部分の次の既連続記録部分を示している次のエントリ値とが、各エントリ値毎に記載されており、前記記録可能位置情報記憶部には、前記データ記録部上の連続末記録部分の位置を示す情報が記載されており、前記既連続記録部分及び前記連続末記録部分は共にその連続部分の先頭位置と末尾位置とで示されており、前記連続部分の途中の位置情報は、前記記録位置情報記憶部上及び前記記録可能位置情報記憶部上には記載されていないことを特徴とする。
【００２２】
請求項９に係る発明は、デジタル放送を受信する放送受信手段と、前記放送受信手段の出力に接続された請求項１乃至請求項８の何れかに記載の前記記録再生装置とを備えたことを特徴とする。
【００２３】
【発明の実施の形態】
（実施の形態１）
本実施の形態では、記録・再生対象のデータに関する各種の記録情報を記録したテーブルを有する記録情報保持手段が記録媒体（データ記録部）とは別個に設けられており、しかも、指示手段が上記記録情報保持手段との間で直接に送受信を行う点に特徴がある。ここで、上記記録媒体内に記録し、あるいは上記記録媒体より読み出して再生すべき「データ」としては、映像データや、静画像・動画像を含めた画像データや、音声データや、従来の技術の欄で定義したＭＰＥＧストリームの内の何れであっても良いが、本実施の形態では、説明の便宜上、上記「データ」が映像データである一例について説明する。尚、この点は、後述する全ての実施の形態について共通である。以下、本実施の形態を図面に基づいて説明する。
【００２４】
図１は、この発明の実施の形態１に係る記録再生装置を示すブロック図である。図１において、Ｔ１は外部より入力した映像データ信号を受信する入力端子（第１端子）、Ｔ２は再生時に読み出された映像データ信号を出力する出力端子（第２端子）、１０１は入力した映像データを記録する記録手段ないしはデータ記録部としての記録媒体、１０２はデータ記録制御手段とデータ読み出し制御手段とを兼ね備えた記録媒体制御回路ないしはデータ記録・読み出し回路、１０３は指示手段としての指示回路、１０４は各種テーブルを保有する記録情報保持手段としての記録情報記憶回路、１０５は記録単位毎の検索情報を記憶する検索情報テーブルないしは検索情報記憶部（第１テーブル）、１０６は各記録単位内のデータの記録手段上の記録位置の情報を各情報記憶位置毎に記憶する位置情報テーブルないしは記録位置情報記憶部（第２テーブル）、１０７は記録手段上の記録可能な位置ないしは空きの位置の情報を記憶する記録可能位置情報テーブルないしは記録可能位置情報記憶部（第３テーブル）、１０８は後述する付帯情報を記憶する付帯情報テーブルないしは付帯情報記憶部（第４テーブル）である。これらの４つのテーブル１０５〜１０８は、記録媒体１０１とは別個に、指示回路１０３に直接繋がった記録情報記憶回路１０４内に設けられている。
【００２５】
上記の構成を有する本実施の形態の記録再生装置の動作について説明する。
【００２６】
先ず、各記録単位で映像データ（入力データ）を記録する場合の動作について説明する。先ず、記録開始時においては、指示回路１０３は、位置情報テーブル１０６と付帯情報テーブル１０８とに直接にアクセスして、それぞれ記録位置情報や付帯情報が記憶されていない各テーブル１０６，１０８内の空き領域となっているものの中から、今回の記録に使用する位置情報テーブル１０６上と付帯情報テーブル１０８上との情報記憶位置を選定し、その後、検索情報テーブル１０５にアクセスして、それらの選定した情報記憶位置の情報を検索情報テーブル１０５内に検索情報として記憶させる。その後の記録時においては、指示回路１０３は、先ず記録情報記憶回路１０４内に設けられた記録可能位置情報テーブル１０７にアクセスして、同テーブル１０７内の記録可能位置情報の中から、今回使用する記録可能位置情報を、即ち、記録媒体１０１上の使用可能な領域を、記録媒体１０１へのデータ書込み位置として選定する。その後、同回路１０３は、映像データを記録すべき記録媒体１０１上の選定された位置の情報を第１指示信号としてデータ記録・読み出し回路１０２に指示する。第１信号が与える指示を受けたデータ記録・読み出し回路１０２は、指定された記録媒体１０１上の格納場所に、外部より到来する映像データを記録する。と同時に、指示回路１０３は、位置情報テーブル１０６内の先に定めた情報記憶位置に、映像データを記録した記録媒体１０１上の位置データ（記録位置情報データ）を追加記憶させる。更に、指示回路１０３は、記録可能位置情報テーブル１０７内の情報データの内で、今回の映像データを記録した記録媒体１０１上の位置データを示す部分のデータ（今回選定した記録可能位置情報）を抹消する。そして、順次到来する映像データに対して記録単位毎の上記動作が繰り返され、記録媒体１０１上に映像データが記録されると共に、記録に使用した場所を示す記録位置情報データが位置情報テーブル１０６内に追加更新されていく。
【００２７】
次に、各記録単位での映像データ（記録データ）を記録媒体１０１から読み出して再生する場合の本記録再生装置の動作について説明する。先ず、指示回路１０３は、記録情報記憶回路１０４内の検索情報テーブル１０５にアクセスして、同テーブル１０５が有する情報データから、再生すべき映像データについての記録位置情報データが位置情報テーブル１０６上のどこにあるかを確認する。確認後、指示回路１０３は位置情報テーブル１０６にアクセスして、当該テーブル１０６上の該当位置に記憶されている、読み出すべき映像データの記録位置情報データを同テーブル１０６から取り出し、取り出した記録位置情報データを第２指示信号としてデータ記録・読み出し回路１０２に指示する。この指示を受けたデータ記録・読み出し回路１０２は、第２指示信号によって指定された記録媒体１０１上の場所から映像データを読み出し、出力端子Ｔ２より外部にその映像データを出力する。
【００２８】
ここで、付帯情報テーブル１０８内には、例えば記録日時や、記録内容タイトルや、記録内容説明等の、記録単位毎の情報や属性より成る付帯情報が記憶される。尚、付帯情報は指示回路１０３によって作成される情報であり、指示回路１０３は、任意の時に、付帯情報テーブル１０８内の記録開始時に選定した情報記憶位置に付帯情報を記憶する。例えば、同回路１０３は、記録動作中に、又は、記録が終了した時点で、又は、記録後から再生開始までの期間中に、付帯情報を上記テーブル１０８内の選定位置に記憶させる。
【００２９】
ここで、検索情報テーブル１０５、位置情報テーブル１０６、記録可能位置情報テーブル１０７、及び付帯情報テーブル１０８の相互関係について、図２を用いて、より詳細に説明する。図２は、記録媒体１０１にいくつかの記録がなされた時の、各テーブルに記憶されている情報の関連づけを示しており、例えば、記録媒体１０１上の位置（Ａ）には記録１の映像データが記録されている。同様に、記録媒体１０１上の位置（Ｂ）には記録２の映像データが、記録媒体１０１上の位置（Ｃ）には記録４の映像データが、記録媒体１０１上の位置（Ｅ）には記録３の映像データが、それぞれ記録されている。また、記録媒体１０１上の位置（Ｄ）及び（Ｆ）は、共に映像データがいまだ記録されていない未使用領域（空き領域）である。
【００３０】
他方、検索情報テーブル１０５上には、▲１▼各記録（単位）毎の記録位置情報が記憶されている位置情報テーブル１０６上の情報記憶位置と、▲２▼各記録（単位）毎の付帯情報が記憶されている付帯情報テーブル１０８上の情報記憶位置とが記憶されている。例えば、記録１という記録単位における映像データの記録媒体１０１上の記録位置情報は位置情報テーブル１０６上の位置（２）内に記憶されていること、及び、記録１の付帯情報は付帯情報テーブル１０８内の位置＜３＞内に記憶されているということが、検索情報テーブル１０５には記録されている。従って、記録１の単位での映像データの再生時には、指示回路１０３は上記テーブル１０５にアクセスして検索することで、次に位置情報テーブル１０６上の情報記憶位置（２）をアクセスすれば良いことを知ることができる。
【００３１】
又、記録可能位置情報テーブル１０７は現在使用可能な記録媒体１０１上の位置の情報を記憶しており、図２に示した例では、記録媒体１０１上の位置（Ｄ）及び（Ｆ）等が未使用であることを記憶している。従って、ある記録単位で映像データの記録を行うときには、指示回路１０３は、上記テーブル１０７をアクセスして検索することで、記録媒体上の位置（Ｄ）又は（Ｆ）等の未使用領域を今回使用できることを容易に知り得る。例えば、指示回路１０３は、記録媒体１０１上の位置（Ｄ）を選定したときには、上記テーブル１０７上の「（Ｄ）記録可能」という記録可能位置情報を抹消する。
【００３２】
又、指示回路１０１は、各記録単位での映像データの記録の開始時に位置情報テーブル１０６をアクセスして、未使用の情報記憶位置がどこにあるのかを検索することで、今回の記録において使用し得る本テーブル１０６上の情報記憶位置を知ることができ、それを選定する。更に指示回路１０３は、同様の処理を付帯情報テーブル１０８についても実行する。
【００３３】
ここで留意すべき特徴点としては、上記の各テーブル１０５〜１０８を記憶している記録情報記憶回路１０４は、映像データの記録や再生等の動作が終了して記録再生装置の主電源（図示せず）が遮断されても、各テーブル１０５〜１０８で記憶されている情報を消去されることなく保持し続けている点にある。
【００３４】
尚、指示回路１０３が、図示しない入力手段を介して操作者から、記録媒体１０１中に記録されている、ある記録単位での映像データを抹消する様に命令を受けたときには、同回路１０３は、同映像データを抹消すると共に、抹消した映像データが記録されていた記録媒体１０１上の位置を「記録可能」とする情報を、記録可能位置情報テーブル１０７内に記憶させて、同テーブル１０７内の情報データを更新する。あるいは、指示回路１０３は、当該記録単位に関する各テーブル１０５，１０６，１０８内の情報を抹消し、記録可能位置情報テーブル１０７に、抹消命令の対象となった映像データが記録されている記録媒体１０１上の位置を「記録可能」とする情報を追加するだけとし、抹消命令の対象となった当該映像データを実際には抹消しないようにしても良い。この様に、テーブル上では、見かけ上、当該記録単位の映像データを抹消したようにすることとしても良い。
【００３５】
【実施例】
図３は、実施の形態１の図１に示した装置を具体化した記録再生装置を示すブロック図である。同図３において、１１１は記録媒体としてのハードディスク装置、１１３は指示回路としてのマイクロコンピュータ、１１２はデータ記録・読み出し回路としてのハードディスク制御回路、１２４はデータ位置情報保持手段としての電気書き換え可能なＲＯＭやフラッシュメモリ等の不揮発性メモリである。そして、不揮発性メモリ１２４内には、検索情報テーブル１０５、位置情報テーブル１０６、記録可能位置情報テーブル１０７、及び付帯情報テーブル１０８が設けられている。
【００３６】
次に、映像データの記録動作について説明する。先ず、ある記録単位の記録開始時において、マイクロコンピュータ１１３は、ハードディスク１１１の外部に設けられた不揮発性メモリ１２４内にある位置情報テーブル１０６及び付帯情報テーブル１０８の各々のどの場所に今回の記録に使用する情報を記憶させるかを選定し、それを同じ不揮発性メモリ１２４内に設けられた検索情報テーブル１０５内に記憶させる。そして、記録時においては、マイクロコンピュータ１１３は、不揮発性メモリ１２４内にある記録可能位置情報テーブル１０７からハードディスク１１１上の使用可能な領域を随時選定し、その設定した場所に、ハードディスク制御回路１１２を介して、外部から到来する映像データを記録する。と同時に、マイクロコンピュータ１１３は、先に定めた位置情報テーブル１０６内の情報記憶位置に、映像データを記録したハードディスク１１１上の記録位置情報のデータを追加記憶させると共に、記録可能位置情報テーブル１０７中の今回使用した位置を示すデータを抹消するデータ更新を行う。その後、順次到来する映像データに対して上記動作が繰り返され、ハードディスク１１１上に映像データが記録されると共に、記録に使用したハードディスク１１１上の場所を示す記録位置情報が位置情報テーブル１０６内に追加更新されていく。
【００３７】
次に、映像データをハードディスク１１１から再生する場合の動作について説明する。マイクロコンピュータ１１３は、ハードディスク１１１の外部に設けられた不揮発性メモリ１２４内にある検索情報テーブル１０５内に記憶されている情報を取得し、再生すべき映像データについての記録位置情報が位置情報テーブル１０６上のどこにあるのかを確認する。確認後、マイクロコンピュータ１１３は、不揮発性メモリ１２４内の位置情報テーブル１０６上の該当位置に記憶されている、読み出すべき映像データの記録位置情報を取り出し、この記録位置情報に基づき、ハードディスク制御回路１１２を介してハードディスク１１１の該当場所から映像データを読み出し、外部に映像データを出力する。
【００３８】
尚、検索情報テーブル１０５、位置情報テーブル１０６、記録可能位置情報テーブル１０７、及び付帯情報テーブル１０８に記憶させる情報およびそれらの相互関係は、図２に基づき説明した実施の形態１、又は後述する実施の形態１の変形例（１）又は（２）と同様である。また、実施の形態１の変形例（３）として後述する様に、共通の指標を持つことにより検索情報テーブル１０５と付帯情報テーブル１０８とを結合する様にしても良い。
【００３９】
既述した通り、上記の記録、あるいは再生などの各動作が終了して主電源が遮断されても、ハードディスク１１１上の映像データ、及びハードディスク１１１の外部に設けられた不揮発性メモリ１２４の各テーブル１０５〜１０８内に格納された情報は、消去されることはない。
【００４０】
本実施例においては、図１の記録媒体１０１の具体例として、ディスク型媒体として磁気記録再生を行うハードディスク１１１を用いたが、これに代えて、光記録再生、光磁気記録再生によるディスク装置を用いてもかまわない。
【００４１】
（実施の形態１の変形例）
（１）  図４は、実施の形態１の図１で示した４つのテーブル１０５〜１０８の構成例（図２の変形例に相当）を示すものであり、その他の点では図１と異なる所はない。本図４は、図１の記録媒体１０１内にいくつかの記録がなされた時の、各テーブル１０５〜１０８内に記憶されている情報の関連付けを示しており、ここでは、記録媒体１０１上の記録位置は記録位置アドレスで以て表現されている。例えば、記録媒体１０１上の００００、０００１の両アドレスで示される位置には、記録１（記録単位）の映像データが記録されている。同様に、０００２、０００３、０００４、０００７、０００８のアドレスには記録２の映像データが、０００９、００１１、００１２、００１４、００１５のアドレスには記録３の映像データが、それぞれ記録されている。また、記録媒体１０１上の０００５、０００６、００１０、００１６、００１７、００１８、００１９のアドレスで示される各位置は、映像データがいまだ記録されていない未使用領域（空き領域）である。
【００４２】
これに対応して、検索情報テーブル１０５上には、▲１▼記録単位毎の指標値であるインデックス（記録インデックスと称す）と、▲２▼位置情報テーブル１０６のエントリ（参照値）と、▲３▼付帯情報テーブル１０８のエントリ（参照値）とが、記憶されている。例えば、記録１の最初（先頭）の記録開始位置は位置情報テーブル１０６内のエントリ値が０００である所に記憶されており、記録１の付帯情報は付帯情報テーブル１０８のエントリ値が０３である所に記憶されているという情報が、検索情報テーブル１０５内の記録インディックス０１で示された記録位置内に記憶されている。
【００４３】
又、記録可能位置情報テーブル１０７内には、記録媒体１０１上の現在使用可能な連続未記録部分が、その連続部分の先頭位置のアドレス値と末尾位置のアドレス値とで記憶されている。本図４に示した例では、記録位置アドレスが０００５〜０００６、００１０（００１０〜００１０）及び００１６〜００１９で示される記録媒体１０１上の各部分が未使用であると、本テーブル１０７は記憶している。
【００４４】
他方、位置情報テーブル１０６は、記録媒体１０１上の記録単位毎の映像データの記録位置の連鎖情報を記憶している。この点を、例えば記録３における記録位置情報のデータについて説明する。先ず、記録３は記録インデックス値０３に該当するので、図１の指示回路１０３が検索情報テーブル１０５の記録インデックス値が０３である所をアクセスして検索すると、位置情報テーブル１０６の参照すべきエントリ値が００２であることを同回路１０３は知り得る。次に、同回路１０３は位置情報テーブル１０６内のエントリ値が００２である所をアクセスし、そこの所の先頭位置および末尾位置の情報から、最初に記録された記録媒体１０１内の位置が０００９のアドレスで示される位置であることを検知し得る。更に、指示回路１０３は、アドレス０００９で与えられる記録位置の次の記録位置を示すアドレスが次エントリで示されたエントリ値が００４である所に記憶されていることを検出し得る。そこで、指示回路１０３は、位置情報テーブル１０６内のエントリ値が００４である所を再びアクセスして内容を検出し、その所に記憶された情報から、０００９アドレスの位置に続いて映像データが記録された位置のアドレスは００１１〜００１２で与えられる領域であり、アドレス００１２で与えられる記録位置に引き続く記録位置のアドレスはエントリ値が００６であるところを参照すればよいことを検出する。そこで、指示回路１０３は、再び位置情報テーブル１０６内のエントリ値が００６で与えられる所をアクセスして内容を検出し、その位置にある情報から、次の記録位置のアドレスが００１４〜００１５で与えられることを検出する。そして、指示回路１０３は、エントリ値００４の記録位置内にある次エントリ内に、現在のエントリ内の末尾位置のアドレスが最後の記録位置であることを示すコード（ＥＯＤ：Ｅｎｄ  ｏｆ  Ｄａｔａ）があるのを検出し、これにより、記録３という記録単位で行われた、映像データの記録媒体１０１内への記録処理がアドレス００１５で以て示される記録位置で終わっていることを知り得る。この様にして、指示回路１０３は、記録３において順次記録されたアドレスを知ることができ、それらのアドレス情報を既述した第１指示信号として作成して同信号をデータ記録・読み出し回路１０１に出力する。
【００４５】
（２）  図５は、実施の形態１の変形例（２）を示すものであり、図４に関して既述した変形例（１）との関係では、検索情報テーブル１０５及び付帯情報テーブル１０８の構成が異なっている。図５に示す様に、本変形例における検索情報テーブル１０５は、記録インデックスと付帯情報テーブル１０８との関連を示すエントリを記憶してはおらず、その代わりに、付帯テーブル情報１０８は、▲１▼記録単位毎のインデックス値と、▲２▼各インデックス値で示される記録単位毎のＫ個の付帯情報とを記憶している。
【００４６】
本変形例では、検索情報テーブル１０５と付帯情報テーブル１０８とは記録インデックスを共通の指標として有しているため、検索情報テーブル１０５内に付帯情報テーブル１０８へのエントリを設けなくても、指示回路１０３は、各記録単位に対する付帯情報を記録インデックスを基にして付帯情報テーブル１０８から直接的に導き出すことが出来る。
【００４７】
本変形例（２）によれば、付帯情報テーブルと検索情報テーブルとの関連づけを固定化するようにしたので、アクセスの高速化を図り得る。
【００４８】
本変形例（３）によれば、統合によるテーブル規模の縮小化が可能である。
【００４９】
（３）  更に変形例（２）の変形として、記録インデックスを共通の指標の下に検索情報テーブル１０５と付帯情報テーブル１０８とを一つのテーブルとして結合する様にしても良い。その様な例を、図６に示す。図６に示す様に、両テーブル１０５，１０８は、１つのテーブルとして回路１０４内に実装されている。尚、他のテーブル１０６，１０７に関しては、実施の形態１の変形例（１）又は（２）で既述したものと同様である。
【００５０】
（実施の形態２）
本実施の形態では、▲１▼記録情報保持手段を構成している各種テーブル１０５〜１０８と、▲２▼記録手段（映像データ記録部）とが、共に記録媒体内に含まれている点に特徴があり、従って、指示手段は、データ記録制御手段・データ読出し制御手段を介して、上記テーブル１０５〜１０８と間接的に送受信し合うことになる。以下、図面に基づき、本実施の形態を説明する。
【００５１】
図７は、本実施の形態に係る記録再生装置を示すものである。ここでは、記録媒体３０１は、当該記録媒体３０１中の予め定められた場所に、検索情報テーブル１０５、位置情報テーブル１０６、記録可能位置情報テーブル１０７、及び付帯情報テーブル１０８を格納しており、その他の場所に、映像データを記録する記録手段たる（映像）データ記録部１０１を有している。このため、指示回路１０３は、データ記録・読み出し回路１０２の制御を経由して、上記４つのテーブル１０５〜１０８内の情報データを取得し、若しくは、各テーブル１０５〜１０８への情報記録を可能にしている。
【００５２】
次に、記録単位毎の映像データの記録動作について説明する。先ず、記録開始時においては、指示回路１０３は、上記回路１０２の制御を通じて、記録媒体３０１上の位置情報テーブル１０６と付帯情報テーブル１０８とにアクセスし、各テーブル１０６，１０８内の空き領域を検出することで、各テーブル１０６，１０８内のどの場所に今回の記録に使用する情報を記憶させるかを選定する。そして、指示回路１０３は、上記回路１０２の動作を通じて、選定した情報記憶位置のデータを記録媒体３０１上に設けられた検索情報テーブル１０５内に記憶させる。記録時においては、先ず指示回路１０３は、上記回路１０２の動作制御を通じて、記録媒体３０１上に設けられた記録可能位置情報テーブル１０７から映像データ記録部１０１上の使用可能な領域を随時選定し、選定した記録位置情報を第１指示信号としてデータ記録・読み出し回路１０２に指示する。これにより、指示を受けたデータ記録・読み出し回路１０２は、第１指示信号によって指定されたデータ記録部１０１上の指定場所に、外部より到来する映像データを記録する。同時に、指示回路１０３は、先に定めた位置情報テーブル１０６上の情報記憶位置に、映像データを記録したデータ記録部１０１上の位置に関するデータ（記録位置情報）を追加記憶させると共に、記録可能位置情報テーブル１０７中のデータ更新を実行する。そして、順次到来する映像データに対して上記動作が繰り返され、データ記録部１０１上に映像データが記録されると共に、記録に使用した場所を示す記録位置情報が位置情報テーブル１０６上に追加更新されていく。
【００５３】
次に、映像データをデータ記録部１０１から再生する場合の動作について説明する。先ず指示回路１０３は、データ記録・読み出し回路１０２の制御を介して、記録媒体３０１上の検索情報テーブル１０５に記憶されている情報を取得し、再生すべき映像データについての記録位置情報が位置情報テーブル１０６上のどこにあるかを確認する。確認後、指示回路１０３は、上記回路１０２を介して、記録媒体３０１にある位置情報テーブル１０６上の該当位置に記憶されている、読み出すべき映像データの記録位置情報を取り出し、この情報を第２指示信号としてデータ記録・読み出し回路１０２に指示する。これにより、指示を受けたデータ記録・読み出し回路１０２は、データ記録部１０１上の指定された場所から映像データを読み出し、外部に映像データを出力する。
【００５４】
ここで、本実施の形態における検索情報テーブル１０５、位置情報テーブル１０６、記録可能位置情報テーブル１０７、及び付帯情報テーブル１０８に記憶させる情報およびその関係は、既述した実施の形態１又は、その変形例（１）又は（２）と同様である。また、本実施の形態でも、共通の指標（インデックス）を持つことにより検索情報テーブル１０５と付帯情報テーブル１０８とを結合できることも、実施の形態１の変形例（３）で説明した通りである。
【００５５】
【実施例】
図８は、実施の形態２の記録再生装置の具体例を示すブロック図である。同図において、３１１は記録媒体としてのハードディスク装置、１１２はデータ記録制御手段およびデータ読み出し制御手段を兼ね備えるハードディスク制御回路、１１３は指示手段としてのマイクロコンピュータである。前記の通り、ハードディスク３１１中の予め定められた場所に、検索情報テーブル１０５、位置情報テーブル１０６、記録可能位置情報テーブル１０７、及び付帯情報テーブル１０８が格納されており、その他の場所にデータ記録部１０１が割り当てられている。
【００５６】
次に、本実施例における映像データの記録動作について説明する。記録開始時においては、マイクロコンピュータ１１３は、ハードディスク制御回路１１２を通じて、ハードディスク３１１上の位置情報テーブル１０６と付帯情報テーブル１０８のどの場所に今回の記録に使用する情報を記憶させるかを選定し、それを同じハードディスク３１１上に設けられた検索情報テーブル１０５に記憶させる。次に記録時においては、マイクロコンピュータ１１３は、上記回路１１２を介して、ハードディスク３１１に設けられた記録可能位置情報テーブル１０７からデータ記録部１０１上の使用可能な領域を随時選定し、ハードディスク制御回路１１２を制御することで、その場所に外部から到来する映像データを記録する。同時にマイクロコンピュータ１１３は、上記回路１１２を介して、先に定めた位置情報テーブル１０６の情報記憶位置に、映像データを記録したデータ記録部１０１上の位置データを追加記憶させると共に、記録可能位置情報テーブル１０７のデータ更新を行う。そして、順次到来する映像データに対して上記動作が繰り返され、ハードディスク３１１のデータ記録部１０１上に映像データが記録されると共に、記録に使用した場所を示す記録位置情報が位置情報テーブル１０６に追加更新されていく。
【００５７】
次に、映像データをハードディスク３１１のデータ記録部１０１から再生する場合の動作について説明する。マイクロコンピュータ１１３は、ハードディスク制御回路１１２を介して、ハードディスク３１１上の検索情報テーブル１０５に記憶されている情報を取得し、再生すべき映像データについての記録位置情報が位置情報テーブル１０６上のどこにあるかを確認する。そして、マイクロコンピュータ１１３は、同じくハードディスク３１１上にある位置情報テーブル１０６上の該当位置に記憶されている、読み出すべき映像データの記録位置情報を取り出し、ハードディスク制御回路１１２を通じて、ハードディスク３１１内のデータ記録部１０１上の該当場所から映像データを読み出し、外部に映像データを出力する。
【００５８】
本実施例でも、検索情報テーブル１０５、位置情報テーブル１０６、記録可能位置情報テーブル１０７、付帯情報テーブル１０８に記憶させる情報およびその関係は、上記した実施の形態１、その変形例（１）又は（２）と同様である。また、本実施例でも、共通の指標を持つことにより、検索情報テーブル１０５と付帯情報テーブル１０８とを結合することができる。
【００５９】
本実施例においても、上記の記録、あるいは再生などの各動作が終了し主電源が遮断されても、ハードディスク３１１上の各種データ、即ち、映像データ及び各テーブルに格納された情報は何れも消去されることはない。
【００６０】
尚、本実施例においては、記録媒体として磁気記録再生によるハードディスクを用いたが、これに代えて、光記録再生、光磁気記録再生によるディスク装置を用いても良い。
【００６１】
尚、本実施例によれば、指示手段にマイクロコンピュータを用い、各テーブルはディスク型媒体上に設けるようにしたので、安価に本装置を実現することができる。
【００６２】
（実施の形態３）
本実施の形態では、記録情報保持手段の一部を記録媒体内の所定の部分に設け、記録情報保持手段の他部を記録媒体外に別途設けた記憶回路内に設けて、記録情報保持手段の２分割構成を実現している。以下、この特徴点を中心に、本実施の形態を図面に基づき説明する。
【００６３】
図９は、実施の形態３に係る記録再生装置を示すブロック図である。同図において、３２１は、その内部の所定領域に記録情報保持手段の一部としての位置情報テーブル１０６及び記録可能位置情報テーブル１０７を有し、且つ、その他の部分に（映像）データ記録部１０１を有する記録媒体である。又、１３４は、記録媒体３２１の外部に設けられた、記録情報保持手段の他部としての記録情報記憶回路であり、記録情報記憶回路１３４内には、検索情報テーブル１０５と付帯情報テーブル１０８とが設けられている。その他で図１中の符号と同一符号のものは、同一のものを示す。
【００６４】
次に、映像データの記録動作について説明する。先ず記録開始時においては、指示回路１０３は、回路１０２を介して、記録媒体３２１の内部に設けられた位置情報テーブル１０６にアクセスして同テーブル１０６内の空き領域を検出すると共に、記録媒体３２１の外部に設けられた記録情報記憶回路１３４にある付帯情報テーブル１０８に直接的にアクセスして同テーブル１０８内の空き領域を検出し、各テーブル１０６，１０８のどの場所に今回の記録に使用する情報を記憶させるかを選定する。その後、指示回路１０３は、記録情報記憶回路１３４に設けられた検索情報テーブル１０５に直接的にアクセスして、選定した情報記憶位置のデータを同テーブル１０５内に記憶させる。記録時においては、指示回路１０３は、回路１０２の制御を通じて、記録媒体３２１の内部に設けられた記録可能位置情報テーブル１０７からデータ記録部１０１上の使用可能な領域を随時選定し、選定した記録位置情報を与える第１指示信号を上記回路１０２に出力・指示することで、データ記録・読み出し回路１０２はデータ記録部１０１内の選定した場所に外部から到来する映像データを記録する。同時に、指示回路１０３は、先に定めた位置情報テーブル１０６の情報記憶位置に、映像データを記録したデータ記録部１０１上の記録位置情報のデータを、上記回路１０２の動作を通じて追加記憶させると共に、記録可能位置情報テーブル１０７のデータの更新（今回使用したデータの抹消）を行う。そして、順次到来する映像データに対して上記動作が繰り返され、データ記録部１０１上に映像データが記録されると共に、記録に使用した場所を示す記録位置情報が位置情報テーブル１０６に追加更新されていく。
【００６５】
次に、映像データをデータ記録部１０１から再生する場合の動作について説明する。指示回路１０３は、記録情報記憶回路１３４内にある検索情報テーブル１０５に直接的にアクセスして同テーブル１０５内に記憶されている情報を取得し、この情報に基づいて、再生すべき映像データについての記録位置情報が位置情報テーブル１０６上のどこにあるかを確認する。そして、指示回路１０３は、上記回路１０２を介して、位置情報テーブル１０６上の該当位置に記憶されている、読み出すべき映像データの記録位置情報のデータを取り出し、このデータを与える第２指示信号を上記回路１０２に出力・指示することで、データ記録・読み出し回路１０２にデータ記録部１０１内の該当場所から映像データを読み出させると共に、外部に映像データを出力させる。
【００６６】
ここでも、検索情報テーブル１０５、位置情報テーブル１０６、記録可能位置情報テーブル１０７、付帯情報テーブル１０８に記憶させる情報およびその関係は、上述した実施の形態１、その変形例（１）又は（２）と同様である。また、本実施の形態でも、共通の指標を持つことにより検索情報テーブル１０５と付帯情報テーブル１０８とを結合できることは、実施の形態１の変形例（３）で説明した通りである。
【００６７】
尚、上記の記録、あるいは再生などの各動作が終了し主電源が遮断されても、記録媒体３２１上の映像データ、位置情報テーブル１０６と記録可能位置情報テーブル１０７とに格納された情報、および、記録情報記憶回路１３４にある検索情報テーブル１０５と付帯情報テーブル１０８とに格納された情報は、何れも消去されることはない。
【００６８】
（実施の形態３の変形例）
（１）  図９の説明においては、記録媒体３２１の内部に位置情報テーブル１０６と記録可能位置情報テーブル１０７とを設け、記録媒体３２１の外部にある記録情報記憶回路１３４には検索情報テーブル１０５と付帯情報テーブル１０８とを設けるように構成したが、この組合せに限定されるものではない。即ち、４つのテーブル１０５〜１０８の内の任意の２つを記録媒体３２１内に設け、残りの２つを上記回路１３４内に格納すれば良く、そのときの組み合わせは如何なるものでも良い。
【００６９】
（２）  また、分散させるテーブルの個数も２テーブル毎である必要はなく、４つのテーブル１０５〜１０８中、任意の１つのテーブルを記録媒体３２１の内部に設け、残りの３つのテーブルを記録情報記憶回路１３４に設けても、あるいは、その逆であっても構わない。
【００７０】
【実施例】
図１０は、実施の形態３の具体例を示すブロック図である。同図において、３３１は、その内部の一部に、記録情報保持手段の一部として位置情報テーブル１０６及び記録可能位置情報テーブル１０７を有しているハードディスクである。又、１４４は、ハードディスク３３１の外部に設けられた、記録情報保持手段の他部を成す不揮発性メモリであり、不揮発性メモリ１４４内には、検索情報テーブル１０５と付帯情報テーブル１０８とが設けられている。又、１１３は指示回路としてのマイクロコンピュータであり、１１２は記録媒体制御手段としてのハードディスク制御回路である。
【００７１】
次に動作について説明する。記録開始時においては、マイクロコンピュータ１１３は、ハードディスク３３１の内部に設けられた位置情報テーブル１０６とハードディスク３３１の外部に設けられた不揮発性メモリ１４４にある付帯情報テーブル１０８のどの場所に今回の記録に使用する情報を記憶させるかを選定し、それらの選定情報を不揮発性メモリ１４４に設けられた検索情報テーブル１０５に記憶させる。記録時においては、マイクロコンピュータ１１３は、ハードディスク３３１の内部に設けられたからデータ記録部１０１上の使用可能な領域を随時選定し、その場所に、ハードディスク制御回路１１２により、外部から到来する映像データを記録する。同時にマイクロコンピュータ１１３は、先に定めた位置情報テーブル１０６の情報記憶位置に、映像データを記録したデータ記録部１０１上の位置データを追加記憶させると共に、記録可能位置情報テーブル１０７のデータ更新を行う。そして、順次到来する映像データに対して上記動作が繰り返され、データ記録部１０１上に映像データが記録されると共に、記録に使用した場所を示す記録位置情報が位置情報テーブル１０６に追加更新されていく。
【００７２】
次に、映像データをデータ記録部１０１から再生する場合の動作について説明する。マイクロコンピュータ１１３は、ハードディスク３３１の外部に設けられた不揮発性メモリ１４４にある検索情報テーブル１０５に記憶されている情報を取得し、再生すべき映像データについての記録位置情報が位置情報テーブル１０６上のどこにあるかを確認する。そして、マイクロコンピュータ１１３は、位置情報テーブル１０６上の該当位置に記憶されている、読み出すべき映像データの記録位置情報を取り出し、ハードディスク制御回路１１２によりデータ記録部１０１内の該当場所から映像データを読み出させ、更に外部に映像データを出力させる。
【００７３】
ここでも、検索情報テーブル１０５、位置情報テーブル１０６、記録可能位置情報テーブル１０７、付帯情報テーブル１０８に記憶させる情報およびその関係は、上記実施の形態１、その変形例（１），（２）と同様である。また、本実施例でも、共通の指標を持つことにより検索情報テーブル１０５と付帯情報テーブル１０８とを結合できる。
【００７４】
加えて、上記の記録、あるいは再生などの各動作が終了し、その後、主電源が遮断されても、ハードディスク３３１上の映像データ、位置情報テーブル１０６と記録可能位置情報テーブル１０７とに格納された情報、及びハードディスク３３１の外部に設けられた不揮発性メモリ１４４にある検索情報テーブル１０５と付帯情報テーブル１０８とに格納された情報は、何れも消去されることはない。
【００７５】
本実施例においては、記録媒体としてハードディスクを用いたが、これに代えて、光記録再生、光磁気記録再生によるディスク装置を用いても良い。
【００７６】
尚、本実施例によれば、指示手段にマイクロコンピュータ１１３を用い、各テーブルはディスク型媒体３３１と不揮発性メモリ１４４とに分散して保持するようにしたので、不正コピーの防止に役立つと共に、本装置を安価に実現することができる。
【００７７】
（実施の形態４）
本実施の形態では、記録情報保持手段は、▲１▼第１記録情報保持手段（テーブル１０５〜１０８）と、▲２▼映像データの記録前に、即ち、記録再生装置の主電源が入れられた後に、第１記録情報保持手段に格納されている各情報がその内部にコピーされる第２記録情報保持手段とより成る。
【００７８】
以下、実施の形態１（図１）に本実施の形態の考え方を適用した例を、図面に基づき説明する。
【００７９】
図１１は、本実施の形態に係る記録再生装置を示すブロック図である。同図において、２０１及び２０２は、それぞれ、第１及び第２記録情報保持手段としての、第１記憶回路及び第２記憶回路である。これらの内で、第１記憶回路２０１には、検索情報テーブル（第１検索情報記憶部）１０５、位置情報テーブル（第１記録位置情報記憶部）１０６、記録可能位置情報テーブル（第１記録可能位置情報記憶部）１０７、付帯情報テーブル（第１付帯情報記憶部）１０８が設けられている。他方、第２記憶回路２０２には、それぞれに対応するテーブル１０５〜１０８の内容をそのままその内部に複製可能な、複製検索情報テーブル（第２検索情報記憶部）４０５、複製位置情報テーブル（第２記録位置情報記憶部）４０６、複製記録可能位置情報テーブル（第２記録可能位置情報記憶部）４０７及び複製付帯情報テーブル（第２付帯情報記憶部）４０８が設けられている。尚、本装置の主電源が投入される前においては、これらの複製テーブル４０５〜４０８内には何らのデータも格納されてはいない。
【００８０】
上記の構成による本実施の形態の動作について説明する。図１３に示す様に、本装置の主電源投入時に、指示回路１０３は、第１記憶回路２０１より、各テーブル１０５〜１０８内に記憶されている情報を抽出し、それらの情報データを第２記憶回路２０２に記憶させる。これにより、第２記憶回路２０２内に、各テーブル１０５〜１０８にそれぞれ対応した複製テーブルが、即ち、複製検索情報テーブル４０５、複製位置情報テーブル４０６、複製記録可能位置情報テーブル４０７、及び複製付帯情報テーブル４０８が生成される。
【００８１】
記録単位毎の映像データの記録動作について、以下に説明する。先ず、記録開始時においては、指示回路１０３は、第２記憶回路２０２内にある複製位置情報テーブル４０６と複製付帯情報テーブル４０８とに直接アクセスして、各複製テーブル４０６，４０８内の空き領域を抽出し、これによって、各複製テーブル４０６，４０８のどの場所に今回の記録に使用する情報を記憶させるかを選定する。そして、指示回路１０３は、それらの選定情報のデータを、同じ第２記憶回路２０２内の複製検索情報テーブル４０５に記憶させる。次に、記録時においては、指示回路１０３は、第２記憶回路２０２にある複製記録可能位置情報テーブル４０７から、記録手段ないしはデータ記録部を成す記録媒体１０１上の使用可能な領域を随時選定し、データ記録・読み出し回路１０２を駆動制御することで、記録媒体１０１内の選定場所に外部から到来する映像データを記録する。と同時に、指示回路１０３は、先に定めた複製位置情報テーブル４０６の情報記憶位置に、映像データを記録した記録媒体１０１上の記録位置情報を示すデータを追加記憶すると共に、複製記録可能位置情報テーブル４０７中の今回使用した記録可能位置情報を抹消するデータ更新を行う。そして、順次到来する映像データに対して上記動作が繰り返され、記録媒体１０１上に映像データが記録されると共に、記録に使用した場所を示す記録位置情報が複製位置情報テーブル４０６に追加更新されていく。
【００８２】
次に、映像データを記録媒体１０１から再生する場合の動作について説明する。先ず指示回路１０３は、第２記憶回路２０２にある複製検索情報テーブル４０５に直接アクセスして同複製テーブル４０５内に記憶されている情報を取得し、再生すべき映像データについての記録位置情報が複製位置情報テーブル４０６上のどこにあるかを確認する。そして、指示回路１０３は、確認により得られた情報データを基に、第２記憶回路２０２にある複製位置情報テーブル４０６上の該当位置に記憶されている、読み出すべき映像データの記録位置情報のデータを取り出し、そのデータを与える第２指示信号をデータ記録・読み出し回路１０２に出力・指示することにより、記録媒体１０１上の該当場所から映像データを読み出し、外部に映像データを出力する。
【００８３】
また、指示回路１０３は、後述する所定のタイミングで、第２記憶回路２０２から、各複製テーブル４０５〜４０８内に記憶されている内容を抽出し、それらの抽出した情報データを第１記憶回路２０１内の対応する各テーブル１０５〜１０８に記憶する。これにより、第１記憶回路２０１内の各テーブル１０５〜１０８に記憶されている情報を第２記憶回路２０２内の各テーブル４０５〜４０８に記憶されている情報で更新して、第１記憶回路２０１内の各テーブル１０５〜１０８の内容と第２記憶回路２０２内の対応する各テーブル４０５〜４０８の内容とを一致させることができる。
【００８４】
上記の所定のタイミング、即ち、第１記憶回路２０１に記憶されている各テーブルの内容を第２記憶回路２０２に記憶されている各テーブルの内容で更新するタイミングは、映像データの記録動作あるいは再生動作に支障をきたさないならば、例えば、記録あるいは再生が実行されていないタイミングでも良いし、又は、記録動作終了時のタイミングであっても良いし、あるいは主電源遮断前のタイミングであっても良い。
【００８５】
ここでも、検索情報テーブル１０５、位置情報テーブル１０６、記録可能位置情報テーブル１０７、付帯情報テーブル１０８に記憶させる情報およびその関係は、上記した実施の形態１、その変形例（１）又は（２）と同様である。従って、複製検索情報テーブル４０５、複製位置情報テーブル４０６、複製記録可能位置情報テーブル４０７、及び複製付帯情報テーブル４０８に記憶させる情報並びにそれらの関係もまた、上記実施の形態１、その変形例（１）又は（２）と同様であることは言うまでもない。
【００８６】
また、共通の指標を持つことにより検索情報テーブル１０５と付帯情報テーブル１０８とを結合できること、同様に複製検索情報テーブル４０５と複製付帯情報テーブル４０８とを結合できることも、実施の形態１の変形例（３）で説明した通りである。
【００８７】
本実施の形態では、第１記憶回路２０１内に記憶されている全てのテーブルのデータを一旦第２記憶回路２０２内に複製して使用する構成としているが、これに代えて、第１記憶回路２０１内の一部のテーブル（ｋ個のテーブル：１≦ｋ≦３）のみに記憶されている各情報データを、第２記憶回路２０２内のｋ個の複製テーブルの対応するものに複製して使用することとしても良い。その場合には、第２記憶回路２０２内にその情報を複製しなかったテーブルについては、指示回路１０３は、第１記憶回路２０１内の対応する（４−ｋ）個のテーブルを使用することが可能である。
【００８８】
本実施の形態でも、上記の記録、あるいは再生などの各動作が終了して主電源が遮断されても、記録媒体１０１上の映像データ、および第１記憶回路２０１にある各テーブル１０５〜１０８に格納された情報は、一切消去されることはない。
【００８９】
【実施例】
図１２は本実施の形態の実施例を示すブロック図であり、本実施の形態の具現的な構成を示している。同図において、２１１は、第１記憶回路としての、電気書き換え可能なＲＯＭやフラッシュメモリ等より成る不揮発性メモリである。又、２１２は、第２記憶回路としての、ＤＲＡＭやＳＲＡＭ等より成る揮発性メモリであり、不揮発性メモリ２１１よりも高速な動作が可能である。
【００９０】
電源投入時に、マイクロコンピュータ１１３は、不揮発性メモリ２１１から記憶されている各テーブル内の情報を抽出し、それらを揮発性メモリ２１２に記憶させ、揮発性メモリ２１２内に複製検索情報テーブル４０５、複製位置情報テーブル４０６、複製記録可能位置情報テーブル４０７及び複製付帯情報テーブル４０８の各テーブルを生成する。
【００９１】
次に、動作について説明する。記録開始時においては、マイクロコンピュータ１１３は、揮発性メモリ２１２内にある複製位置情報テーブル４０６と複製付帯情報テーブル４０８とのどの場所に今回の記録に使用する情報を記憶させるかを選定し、それらの情報を揮発性メモリ２１２に設けられた複製検索情報テーブル４０５に記憶させる。記録時においては、マイクロコンピュータ１１３は、揮発性メモリ２１２内にある複製記録可能位置情報テーブル４０７からハードディスク１１１上の使用可能な領域を随時選定し、その場所にハードディスク制御回路１１２を駆動制御することにより外部から到来する映像データを記録する。同時にマイクロコンピュータ１１３は、先に定めた複製位置情報テーブル４０６の情報記憶位置に、映像データを記録したハードディスク１１１上の位置データを追加記憶させると共に、上記複製テーブル４０７のデータ更新を行う。そして、順次到来する映像データに対して上記動作が繰り返され、ハードディスク１１１上に映像データが記録されると共に、記録に使用した場所を示す記録位置情報が複製位置情報テーブル４０６に追加更新されていく。
【００９２】
次に、映像データをハードディスク１１１から再生する場合の動作について説明する。マイクロコンピュータ１１３は、揮発性メモリ２１２にある複製検索情報テーブル４０５に記憶されている情報を取得し、再生すべき映像データについての記録位置情報が複製位置情報テーブル４０６上のどこにあるかを確認する。そして、マイクロコンピュータ１１３は、揮発性メモリ２１２にある複製位置情報テーブル４０６上の該当位置に記憶されている、読み出すべき映像データの記録位置情報のデータを取り出し、この情報データを基にしてハードディスク制御回路１１２を駆動制御することにより、ハードディスク１１１の該当場所から映像データを読み出し、外部に映像データを出力する。
【００９３】
また、マイクロコンピュータ１１３は、上述した所定のタイミングで、揮発性メモリ２１２から記憶されている各テーブル４０５〜４０８の内容を抽出し、それらを不揮発性メモリ２１１の対応する各テーブル１０５〜１０８に記憶させる。これにより、不揮発性メモリ２１１に記憶されている各テーブル１０５〜１０８の情報を揮発性メモリ２１２に記憶されている各テーブル４０５〜４０８の情報で更新し、不揮発性メモリ２１１の各テーブル１０５〜１０８の内容と揮発性メモリ２１２の各テーブル４０５〜４０８の内容とを一致させる。
【００９４】
又、本実施例でも、検索情報テーブル１０５、位置情報テーブル１０６、記録可能位置情報テーブル１０７、付帯情報テーブル１０８に記憶させる情報およびその関係は、実施の形態１、その変形例（１）又は（２）と同様である。従って、複製検索情報テーブル４０５、複製位置情報テーブル４０６、複製記録可能位置情報テーブル４０７、複製付帯情報テーブル４０８に記憶させる情報およびその関係もまた、実施の形態１、その変形例（１）又は（２）と同様である。また、共通の指標を持つことにより検索情報テーブル１０５と付帯情報テーブル１０８とを結合させることができ、同様に複製検索情報テーブル４０５と複製付帯情報テーブル４０８とを結合させることもできる。
【００９５】
上記実施例では、不揮発性メモリ２１１に記憶されている全てのテーブル１０５〜１０８の内容を一旦揮発性メモリ２１２の対応する複製テーブル４０５〜４０８に複製し使用する構成としたが、一部のテーブルのみを複製して使用しても良い。その場合には、複製しなかったテーブルについては不揮発性メモリ２１１のテーブルを使用することが可能である。
【００９６】
本実施例でも、上記の記録、あるいは再生などの各動作が終了し主電源が遮断されても、ハードディスク１１１上の映像データ、および不揮発性メモリ２１１にある各テーブル１０５〜１０８に格納された情報は、何ら消去されることはない。
【００９７】
本実施例においても、ハードディスク１１１に代えて、光記録再生、光磁気記録再生によるディスク装置を用いることができる。
【００９８】
（実施の形態４の変形例）
（１）  本変形例は、図１１に関して説明した本実施の形態の考え方を既述した実施の形態２に適用した例に相当する。以下、図面を用いて本変形例を説明する。
【００９９】
図１３は、本変形例に係る記録再生装置を示すブロック図である。同図において、各テーブル１０５〜１０８は、記録情報保持手段の内の一部（第１記録情報保持手段）を構成しており、他方、２０２は記録情報保持手段の他部（第２記録情報保持手段）を成す第２記憶回路であって、記録媒体３０１よりも高速な応答動作を行い得る。尚、図１３中、実施の形態２の図７中と同一符号のものは、同一のものを示す。
【０１００】
次に、映像データの記録動作について説明する。図１３に示す様に、主電源の投入時に、指示回路１０３は、回路１０２の駆動制御を介して、記録媒体３０１から、各テーブル１０５〜１０８内に保存されている情報を抽出し、それらの情報を第２記憶回路２０２に記憶させる。これにより、第２記憶回路２０２内に、各テーブル１０５〜１０８にそれぞれ対応した複製テーブルが、即ち、複製検索情報テーブル４０５、複製位置情報テーブル４０６、複製記録可能位置情報テーブル４０７、及び複製付帯情報テーブル４０８の各テーブルが生成される。
【０１０１】
記録開始時においては、指示回路１０３は、両テーブル４０６，４０８に直接にアクセスして、複製位置情報テーブル４０６と複製付帯情報テーブル４０８とのそれぞれのどの場所に今回の記録に使用する情報を記憶させるかを選定する。そして、同回路１０３は、それらの情報記憶位置のデータを、同じ第２記憶回路２０２内に設けられた複製検索情報テーブル４０５に記憶する。その後の記録時においては、指示回路１０３は、第２記憶回路２０２内にある複製記録可能位置情報テーブル４０７からデータ記録部１０１上の使用可能な領域を随時選定し、その場所に、データ記録・読み出し回路１０２を駆動制御することにより、外部から到来する映像データを記録する。同時に指示回路１０３は、先に定めた複製位置情報テーブル４０６の情報記憶位置に、映像データを記録したデータ記録部１０１上の記録位置の情報データを追加記憶させると共に、複製記録可能位置情報テーブル４０７の内容を更新する。そして、順次到来する映像データに対して上記動作が繰り返され、データ記録部１０１上に映像データが記録される共に、記録に使用した場所を示す記録位置情報が複製位置情報テーブル４０６に追加更新されていく。
【０１０２】
次に、映像データをデータ記録部１０１から再生する場合の動作について説明する。先ず、指示回路１０３は、第２記憶回路２０２内にある複製検索情報テーブル４０５に記憶されている情報を取得し、再生すべき映像データについての記録位置情報が複製位置情報テーブル４０６上のどこにあるかを確認する。そして、同回路１０３は、第２記憶回路２０２内にある複製位置情報テーブル４０６上の該当位置に記憶されている、読み出すべき映像データの記録位置情報のデータを取り出し、このデータに基づきデータ記録・読み出し回路１０２を駆動制御することにより、データ記録部１０１上の該当場所から映像データを読み出し、外部に映像データを出力する。
【０１０３】
また、指示回路１０３は、実施の形態４の説明中で既述した所定のタイミングで、第２記憶回路２０２から各テーブル４０５〜４０８に記憶されている内容を抽出し、それらを、回路１０２を介して、記録媒体３０１内の各テーブル１０５〜１０８に記憶させる。これにより、記録媒体３０１内の各テーブル１０５〜１０８に記憶されている情報を第２記憶回路２０２内の各テーブル４０５〜４０８に記憶されている情報で以て更新し、記録媒体３０１の各テーブル１０５〜１０８の内容と第２記憶回路２０２の各テーブル４０５〜４０８の内容とを一致させることができる。
【０１０４】
本変形例でも、検索情報テーブル１０５、位置情報テーブル１０６、記録可能位置情報テーブル１０７、付帯情報テーブル１０８に記憶させる情報およびその関係は、上記した実施の形態１、その変形例（１）又は（２）と同様であり、複製検索情報テーブル４０５、複製位置情報テーブル４０６、複製記録可能位置情報テーブル４０７、複製付帯情報テーブル４０８に記憶させる情報およびその関係もまた、上記実施の形態１、その変形例（１）又は（２）と同様である。また、共通の指標を持つことにより検索情報テーブル１０５と付帯情報テーブル１０８とを結合でき、同様に複製検索情報テーブル４０５と複製付帯情報テーブル４０８とを結合できることも、実施の形態１の変形例（３）で説明した通りである。
【０１０５】
本変形例でも、記録媒体３０１内の一部のテーブルの内容のみを第２記憶回路２０２側に複製して使用しても勿論かまわない。その場合には、複製しなかったテーブルについては、記録媒体３０１内の対応するテーブルの内容を使用することとなる。
【０１０６】
本変形例でも、上記の記録、あるいは再生などの各動作が終了し主電源が遮断されても、記録媒体３０１上の映像データ、および各テーブル１０５〜１０８に格納された情報が消去されることはない。
【０１０７】
また、本変形例（１）では、コンピュータのオペレーティングシステムのファイルシステムに依存しない各種記録情報を４つのテーブル１０５〜１０８で記録媒体３０１中に保持すると共に、記録媒体３０１の外部に第２記憶回路２０２を設け、記録再生時には記録媒体３０１から複製した第２記憶回路２０２上のデータの記録位置情報を抽出するようにしたので、記録媒体３０１をパーソナルコンピュータ等に接続しても、元の映像データを得ることは難しく、不正コピーの防止に役立つ。また、高速な映像データの記録再生が可能となる。
【０１０８】
【実施例】
図１４は、実施の形態４の変形例（１）を具現化した構成を示すブロック図である。同図において、３１１は記録媒体としてのハードディスク、２２２は第２記憶回路としてのメモリであって、ハードディスク３１１よりも高速な動作が可能である。従って、メモリ２２２は、不揮発性のものでも良いし、揮発性のものであっても良い。
【０１０９】
次に動作について説明する。同図に示したように、主電源の投入時に、マイクロコンピュータ１１３は、ハードディスク制御回路１１２を介して、ハードディスク３１１から、各テーブル１０５〜１０８内に保存されている情報を抽出し、それらの情報をメモリ２２２に記憶させる。これにより、メモリ２２２上に、複製検索情報テーブル４０５、複製位置情報テーブル４０６、複製記録可能位置情報テーブル４０７、及び複製付帯情報テーブル４０８の各テーブルが生成される。
【０１１０】
記録開始において、マイクロコンピュータ１１３は、メモリ２２２にある複製位置情報テーブル４０６と複製付帯情報テーブル４０８のどの場所に今回の記録に使用する情報を記憶させるかを選定し、それらを同メモリ２２２に設けられた複製検索情報テーブル４０５に記憶させる。記録時において、マイクロコンピュータ１１３は、メモリ２２２内にある複製記録可能位置情報テーブル４０７からデータ記録部１０１上の使用可能な領域を随時選定し、ハードディスク制御回路１１２を駆動制御することにより、その選定した場所に外部から到来する映像データを記録する。同時にマイクロコンピュータ１１３は、先に定めた複製位置情報テーブル４０６の情報記憶位置に、映像データを記録したデータ記録部１０１上の記録位置の情報のデータを追加記憶させると共に、上記複製テーブル４０７内の情報を更新する。そして、順次到来する映像データに対して上記動作が繰り返され、データ記録部１０１上に映像データが記録されると共に、記録に使用した場所を示す記録位置情報が複製位置情報テーブル４０６に追加更新されていく。
【０１１１】
次に、映像データをデータ記録部１０１から再生する場合の動作について説明する。マイクロコンピュータ１１３は、メモリ２２２にある複製検索情報テーブル４０５に記憶されている情報を取得し、再生すべき映像データについての記録位置情報が複製位置情報テーブル４０６上のどこにあるかを確認する。そして、同コンピュータ１１３は、メモリ２２２にある複製位置情報テーブル４０６上の該当位置に記憶されている、読み出すべき映像データの位置情報を取り出し、この情報に基づきハードディスク制御回路１１２を制御することにより、データ記録部１０１上の該当場所から映像データを読み出し、外部に映像データを出力する。
【０１１２】
また、マイクロコンピュータ１１３は、既述した所定のタイミングで、メモリ２２２から各テーブル４０５〜４０８に記憶されている内容を抽出し、それらをハードディスク３１１に記憶させる。これにより、ハードディスク３１１内の各テーブル１０５〜１０８に記憶されている情報を、メモリ２２２内の各テーブル４０５〜４０８に記憶されている情報で以て更新し、ハードディスク３１１の各テーブル１０５〜１０８の内容とメモリ２２２の各テーブル４０５〜４０８の内容とを一致させることができる。
【０１１３】
本実施例でも、検索情報テーブル１０５、位置情報テーブル１０６、記録可能位置情報テーブル１０７、付帯情報テーブル１０８に記憶させる情報およびその関係は、上記実施の形態１、その変形例（１）又は（２）と同様であり、複製検索情報テーブル４０５、複製位置情報テーブル４０６、複製記録可能位置情報テーブル４０７、複製付帯情報テーブル４０８に記憶させる情報およびその関係もまた、上記実施の形態１、その変形例（１）又は（２）と同様である。また、共通の指標を持つことにより検索情報テーブル１０５と付帯情報テーブル１０８とを結合できること、同様に複製検索情報テーブル４０５と複製付帯情報テーブル４０８とを結合できる。
【０１１４】
本実施例においても、ハードディスク３１１上の一部のテーブルの内容のみをメモリ２２２側に複製して使用しても良く、その場合には、複製しなかったテーブルについては、ハードディスク３１１の対応するテーブルを使用することが可能である。
【０１１５】
本実施例でも、上記の記録、あるいは再生などの各動作が終了し主電源が遮断されても、ハードディスク３１１上の映像データ、および各テーブル１０５〜１０８に格納された情報は、一切消去されることはない。
【０１１６】
本実施例においても、ハードディスク３１１に代えて、光記録再生、光磁気記録再生によるディスク装置を用いることができる。
【０１１７】
また、本実施例によれば、指示手段にマイクロコンピュータ１１３を用い、第２データ位置情報保持手段にメモリ２２２を用い、記録再生時にはディスク型媒体３１１から複製したメモリ２２２上のデータの記録位置情報を抽出するようにしたので、第１記憶回路が不要となり、高速な映像データの記録再生をより安価に実現できる。
【０１１８】
（２）  本変形例は、実施の形態４の考え方を実施の形態３（図９）に適用したものである。
【０１１９】
図１５は、実施の形態４の変形例（２）を示すブロック図である。同図において、３２１は、その内部に、データ記録部１０１の他に、位置情報テーブル１０６、記録可能位置情報テーブル１０７を有している記録媒体であり、２０１及び２０２は、それぞれ、第１記憶回路および第２記憶回路である。そして、第１記憶回路２０１には、検索情報テーブル１０５及び付帯情報テーブル１０８が設けられており、第２記憶回路２０２は、記録媒体３２１及び第１記憶回路２０１の何れよりも高速な応答動作を行い得る。以上の通り、本変形例では、記録媒体３２１の一部（テーブル１０６，１０７）と第１記憶回路２０１とが第１記録情報保持手段を構成し、第２記憶回路２０２（テーブル４０５〜４０８）が第２記録情報保持手段を構成する。
【０１２０】
次に動作について説明する。主電源の投入時に、指示回路１０３は、回路１０２を介して、記録媒体３２１から、各テーブル１０６，１０７に保存されている各情報を抽出した上で、それらの情報を第２記憶回路２０２に記憶させると共に、第１記憶回路２０１から、各テーブル１０５，１０８に保存されている情報を抽出し、それらの情報のデータを第２記憶回路２０２に記憶させる。これにより、第２記憶回路２０２内に、複製検索情報テーブル４０５、複製位置情報テーブル４０６、複製記録可能位置情報テーブル４０７、及び複製付帯情報テーブル４０８の各テーブルが生成される。
【０１２１】
記録開始時において、指示回路１０３は、第２記憶回路２０２にある複製位置情報テーブル４０６と複製付帯情報テーブル４０８とのそれぞれのどの場所に今回の記録に使用する情報を記憶させるかを選定し、それらの選定した情報記憶位置のデータを第２記憶回路２０２に設けられた複製検索情報テーブル４０５に記憶させる。記録においては、指示回路１０３は、第２記憶回路２０２内にある複製記録可能位置情報テーブル４０７からデータ記録部１０１上の使用可能な領域を随時選定し、選定した記録位置情報のデータに基づきデータ記録・読み出し回路１０２を制御することにより、その場所に外部から到来する映像データを記録する。同時に指示回路１０３は、先に定めた複製位置情報テーブル４０６の情報記憶位置に、映像データを記録したデータ記録部１０１上の位置データを追加記憶させると共に、複製テーブル４０７の内容を更新する。そして、順次到来する映像データに対して上記動作が繰り返されて、データ記録部１０１上に映像データが記録されると共に、記録に使用した場所を示す記録位置情報が複製位置情報テーブル４０６に追加更新されていく。
【０１２２】
次に、映像データをデータ記録部１０１から再生する場合の動作について説明する。指示回路１０３は、第２記憶回路２０２内にある複製検索情報テーブル４０５に記憶されている情報を取得し、再生すべき映像データについての記録位置情報が複製位置情報テーブル４０６上のどこにあるかを確認する。そして、同回路１０３は、第２記憶回路２０２内にある複製位置情報テーブル４０６上の該当位置に記憶されている、読み出すべき映像データの記録位置情報のデータを取り出し、そのデータに基づきデータ記録・読み出し回路１０２を制御することにより、データ記録部１０１の該当場所から映像データを読み出し、外部に映像データを出力する。
【０１２３】
また、指示回路１０３は、既述した所定のタイミングで、第２記憶回路２０２から、各テーブル４０５〜４０８に記憶されている内容を抽出し、それらを記録媒体３２１及び第１記憶回路２０１に記憶させることにより、記録媒体３２１及び第１記憶回路２０１のそれぞれの各テーブルに記憶されている情報を第２記憶回路２０２内の対応する各テーブル４０５〜４０８に記憶されている情報で更新し、記録媒体３２１及び第１記憶回路２０１の各テーブル１０５〜１０８の内容と第２記憶回路２０２の各テーブル４０５〜４０８の内容とを一致させる。同図に示した例では、第２記憶回路２０２の複製位置情報テーブル４０６と複製記録可能位置情報テーブル４０７との内容で以て記録媒体３２１上の位置情報テーブル１０６と記録可能位置情報テーブル１０７との内容をそれぞれ更新し、第２記憶回路２０２の複製検索情報テーブル４０５と複製付帯情報テーブル４０８との内容で以て第１記憶回路２０１上の検索情報テーブル１０５と付帯情報テーブル１０８との内容をそれぞれ更新する。
【０１２４】
ここでも、検索情報テーブル１０５、位置情報テーブル１０６、記録可能位置情報テーブル１０７、付帯情報テーブル１０８に記憶させる情報およびその関係は、実施の形態１、その変形例（１）又は（２）と同様である。従って、複製検索情報テーブル４０５、複製位置情報テーブル４０６、複製記録可能位置情報テーブル４０７、複製付帯情報テーブル４０８に記憶させる情報およびその関係もまた、上記実施の形態１、その変形例（１）又は（２）と同様である。また、共通の指標を持つことにより検索情報テーブル１０５と付帯情報テーブル１０８とを結合させ、同様に複製検索情報テーブル４０５と複製付帯情報テーブル４０８とを結合させることもできる。
【０１２５】
ここでも、上記の記録、あるいは再生などの各動作が終了し主電源が遮断されても、記録媒体３２１上の映像データ、位置情報テーブル１０６と記録可能位置情報テーブル１０７とに格納された情報、および記録媒体３２１の外部に設けられた第１記憶回路２０１にある検索情報テーブル１０５と付帯情報テーブル１０８とに格納された情報は、何れも一切消去されることはない。
【０１２６】
なお、上記説明においては、記録媒体３２１の内部に位置情報テーブル１０６と記録可能位置情報テーブル１０７とを設け、記録媒体３２１の外部にある第１記憶回路２０１には検索情報テーブル１０５と付帯情報テーブル１０８とを設けるように構成したが、実施の形態３で既述した通り、テーブルの格納場所に制限はなく、如何なる組み合わせでも良い。更にまた、分散させるテーブルの個数も２テーブル毎である必要はなく、１つのテーブルを記録媒体３２１の内部に、３つのテーブルを第１記憶回路２０１に設けても良いし、あるいは、その逆であっても構わない。
【０１２７】
また、本変形例でも、記録媒体３２１及び第１記憶回路２０１内テーブルの一部のテーブルのみを複製して使用しても勿論かまわない。その場合には、複製しなかったテーブルについては、記録媒体３２１あるいは第１記憶回路２０１にある該当テーブルを使用することが可能である。
【０１２８】
また、本変形例（２）では、各テーブルを、記録媒体３２１上と、記録媒体３２１外に設けた第１記憶回路２０１とに分散して保存するとともに、記録媒体３２１の外部に第２記憶回路２０２を設け、記録再生時には記録媒体３２１および第１記憶回路２０１から複製した第２記憶回路２０２上のデータの記録位置情報を抽出するようにしたので、記録媒体３２１をパーソナルコンピュータ等に接続しても、元の映像データを得ることは難しく、不正コピーの防止に役立つ。また、高速な映像データの記録再生が可能となる。
【０１２９】
【実施例】
図１６は、実施の形態４の変形例（２）を具体化した構成を示すブロック図である。同図において、３３１は記録媒体としてのハードディスクであって、その内部に位置情報テーブル１０６及び記録可能位置情報テーブル１０７を有しており、２１１及び２１２は、それぞれ第１及び第２記憶回路としての不揮発性メモリ及び揮発性メモリである。そして、不揮発性メモリ２１１内には、検索情報テーブル１０５と付帯情報テーブル１０８とが設けられており、揮発性メモリ２１２はハードディスク３３１及び不揮発性メモリ２１１の何れよりも高速な応答動作を行い得る。
【０１３０】
次に動作について説明する。主電源投入時に、マイクロコンピュータ１１３は、ハードディスク３３１から、各テーブル１０６，１０７に保存されている情報を抽出し、それらを揮発性メモリ２１２に記憶させると共に、不揮発性メモリ２１１から、各テーブル１０５，１０８に保存されている情報を抽出し、それらを揮発性メモリ２１２に記憶させる。これにより、揮発性メモリ２１２内には、複製検索情報テーブル４０５、複製位置情報テーブル４０６、複製記録可能位置情報テーブル４０７、及び複製付帯情報テーブル４０８の各テーブルが生成される。
【０１３１】
記録開始において、マイクロコンピュータ１１３は、揮発性メモリ２１２にある複製位置情報テーブル４０６と複製付帯情報テーブル４０８とのそれぞれのどの場所に今回の記録に使用する情報を記憶させるかを選定し、それらを揮発性メモリ２１２に設けられた複製検索情報テーブル４０５に記憶させる。記録時においては、マイクロコンピュータ１１３は、揮発性メモリ２１２にある複製記録可能位置情報テーブル４０７からデータ記録部１０１上の使用可能な領域を随時選定し、その場所に外部から到来する映像データを記録する。同時にマイクロコンピュータ１１３は、先に定めた複製位置情報テーブル４０６の情報記憶位置に、映像データを記録したデータ記録部１０１の位置データを追加記憶させると共に、複製記録可能位置情報テーブル４０７の内容を変更する（抹消処理）。そして、順次到来する映像データに対して上記動作が繰り返され、データ記録部１０１上に映像データが記録されると共に、記録に使用した場所を示す記録位置情報が複製位置情報テーブル４０６に追加更新されていく。
【０１３２】
次に、映像データをデータ記録部１０１から再生する場合の動作について説明する。マイクロコンピュータ１１３は、揮発性メモリ２１２にある複製検索情報テーブル４０５に記憶されている情報を取得し、再生すべき映像データについての記録位置情報が複製位置情報テーブル４０６上のどこにあるかを確認する。そして、同コンピュータ１１３は、揮発性メモリ２１２にある複製位置情報テーブル４０６上の該当位置に記憶されている、読み出すべき映像データの記録位置情報のデータを取り出し、ハードディスク制御回路１１２を介して、ハードディスク３３１のデータ記録部１０１上の該当場所から映像データを読み出し、外部に映像データを出力する。
【０１３３】
また、マイクロコンピュータ１１３は、既述した所定のタイミングで、揮発性メモリ２１２から各テーブル４０５〜４０８に記憶されている内容を抽出し、それらをハードディスク３３１及び不揮発性メモリ２１１に記憶させることにより、ハードディスク３３１及び不揮発性メモリ２１１のそれぞれの各テーブル１０５〜１０８に記憶されている情報を揮発性メモリ２１２の各テーブル４０５〜４０８に記憶されている情報で更新し、ハードディスク３３１及び不揮発性メモリ２１１の各テーブル１０５〜１０８の内容と揮発性メモリ２１２の各テーブル４０５〜４０８の内容とを一致させる。同図に示した例では、揮発性メモリ２１２内の複製位置情報テーブル４０６と複製記録可能位置情報テーブル４０７とでハードディスク３３１上の位置情報テーブル１０６と記録可能位置情報テーブル１０７とをそれぞれ更新し、揮発性メモリ２１２内の複製検索情報テーブル４０５と複製付帯情報テーブル４０８とで不揮発性メモリ２１１上の検索情報テーブル１０５と付帯情報テーブル１０８とを更新する。
【０１３４】
ここでも、検索情報テーブル１０５、位置情報テーブル１０６、記録可能位置情報テーブル１０７、付帯情報テーブル１０８に記憶させる情報およびその関係は、上記実施の形態１、その変形例（１），（２）と同様である。従って、複製検索情報テーブル４０５、複製位置情報テーブル４０６、複製記録可能位置情報テーブル４０７、複製付帯情報テーブル４０８に記憶させる情報およびその関係もまた、上記実施の形態１、その変形例（１），（２）と同様である。また、共通の指標を持つことにより検索情報テーブル１０５と付帯情報テーブル１０８とを結合させることもでき、同様に複製検索情報テーブル４０５と複製付帯情報テーブル４０８とを結合させることもできる。
【０１３５】
上記の記録、あるいは再生などの各動作が終了して主電源が遮断されても、ハードディスク３３１上の映像データ、位置情報テーブル１０６、記録可能位置情報テーブル１０７、及びハードディスク３３１の外部に設けられた不揮発性メモリ２１１にある検索情報テーブル１０５と付帯情報テーブル１０８とに格納された各情報は、一切消去されることはない。
【０１３６】
なお、本実施例においても、テーブルの格納場所に制限はなく、如何なる組み合わせでも良し、分散させるテーブルの個数も２テーブル毎である必要はなく、１つのテーブルをハードディスク３３１の内部に、３つのテーブルを不揮発性メモリ２１１に設けても、あるいは、その逆であっても構わない。
【０１３７】
また、上記実施例では、ハードディスク３３１および不揮発性メモリ２１１に記憶されているすべてのテーブルを一旦揮発性メモリ２１２に複製し使用する構成としたが、一部のテーブルのみを複製して使用しても勿論かまわない。その場合には、複製しなかったテーブルについては、ハードディスク３３１あるいは不揮発性メモリ２１１にある該当テーブルを使用することが可能である。
【０１３８】
本実施例でも、ハードディスク３３１に代えて、光記録再生、光磁気記録再生によるディスク装置を用いても良い。
【０１３９】
また、本実施例によれば、指示手段にマイクロコンピュータ１１３を用い、各テーブルをディスク型媒体３３１と不揮発性メモリ２１１とに分散して保持するとともに、記録再生時にはディスク型媒体３３１および不揮発性メモリ２１１から複製した揮発性メモリ２１２上のデータの記録位置情報を抽出するようにしたのでたので、不正コピーの防止に役立つとともに高速な映像データの記録再生をより安価に実現できる。
【０１４０】
（３）  図１１の各テーブル１０５〜１０８に対応する各テーブルを有する第３記憶回路を別途設け、指示回路１０３は、既述した所定のタイミング時に、第２記憶回路２０２内の各複製テーブル４０５〜４０８上の情報を、第１記憶回路２０１内の対応するテーブル１０５〜１０８上に記憶させる（更新する）代りに、上記第３記憶回路内の対応する各テーブル上に記憶させても良い。このときには、主電源を投入して、次のデータの記録、再生を行うときには、上記第３記憶回路が、図１１の第１記憶回路２０１と同様の機能・役割を担うことになる。この様な変形例は、勿論、実施の形態４の変形例（１）又は（２）にも適用可能である。
【０１４１】
（実施の形態５）
図１９は、実施の形態５に係るデジタル放送受信機の構成を示すブロック図である。同図において、５０１はデジタル放送を受信するための放送受信手段としてのデジタル放送受信チューナー、５０２は上記実施の形態１ないし４（変形例をも含む）の何れかに該当する記録再生装置、５０３はデジタル放送チューナー５０１が出力する受信映像データと記録再生装置５０２が出力する再生映像データとの内の何れか一方を選択するための選択回路、５０４は選択回路５０３により選択された映像データをデコードするデコード手段としてのデコード処理回路、５０５は、図示しないリモコン受信回路やスイッチ回路などが出力する、使用者からの指示に応じた信号を受けて、記録再生装置５０２の動作（データの記録，再生，消去等）を制御する指示受信手段としての動作制御回路である。
【０１４２】
本実施の形態のデジタル放送受信機の動作について説明する。デジタル放送チューナー５０１は設定された放送波に同調してデジタル映像データを復調し、それを受信映像データとして出力する。この受信映像データは、記録再生装置５０２及び選択回路５０３に入力される。記録再生装置５０２は、上記実施の形態１ないし４や各変形例において示した様に、入力された受信映像データを記録媒体上に記録すること、および既に記録済みの映像データを再生することが可能である。そして、記録再生装置５０２の再生出力である再生映像データは選択回路５０３に入力され、選択回路５０３の出力は、デコード処理回路５０４により映像信号にデコードされる。又、動作制御回路５０５は、使用者が操作する制御スイッチあるいはリモコン等が発する指示信号から、記録再生装置５０２の動作を使用者の操作意図に応じて制御する。ここで、使用者の操作意図が記録、あるいは再生であった場合の記録再生装置５０２の動作は、上記実施の形態１ないし４（各変形例をも含む）において示した通りである。
【０１４３】
尚、チューナー５０１に入力するデータがＭＰＥＧストリームの場合には、チューナー５０１は受信ＭＰＥＧストリームを出力し、記録再生装置５０２は、再生ＭＰＥＧストリームを出力し、回路５０４はＭＰＥＧストリーム信号を出力することになる。
【０１４４】
【発明の効果】
請求項１の発明によれば、データ記録部上へのデータ記録及びデータ再生において、コンピュータのオペレーティングシステムのファイルシステムに依存することなく、記録及び再生に必要な各種の記録情報を記録情報保持手段中の少なくとも３つの情報記憶部中で保持するようにしたので、データ記録部をパーソナルコンピュータ等に接続しても、元の既記録データを得ることは難しく、不正コピーの防止に役立ち得るという効果がある。
【０１４５】
請求項２の発明によれば、記録情報保持手段を記録媒体外に設けたので、記録媒体内データを複製しても、元の記録済みデータを得ることはできず、不正コピーの防止に役立つという効果がある。
【０１４６】
請求項３の発明によれば、記録再生装置を安価に実現することができる。
【０１４７】
請求項４の発明によれば、データ記録部内データを複製しても、元の記録済みデータを得ることはできず、不正コピーの防止に役立つと共に、高速な入力データに対しても、記録再生位置の情報を遅れることなく指示して記録再生することが可能になるという効果を奏する。
【０１４８】
請求項５の発明によれば、不正コピーの防止に役立つと共に、高速な入力データの記録再生を安価に実現できるという効果がある。
【０１４９】
請求項６の発明によれば、情報記憶部を記録媒体上で保持するようにしたので、各情報記憶部を記憶するための回路を特別に設ける必要がないという効果がある。
【０１５０】
請求項７の発明によれば、各情報記憶部を、記録媒体上と、記録媒体の外部に設けた記録情報記憶回路とに分散して保存するようにしたので、不正コピーの防止に役立つと共に、記録媒体以外に設ける記録情報記憶回路の規模を小さくすることができる。
【０１５１】
請求項８記載の発明によれば、記録位置情報記憶部及び記録可能位置情報記憶部の２つの情報記憶部自体の規模を非常に小さくすることができるという効果を奏する。
【０１５２】
請求項９の発明によれば、記録再生装置を受信機に内蔵させたので、受信機単体で記録再生ができる。
【図面の簡単な説明】
【図１】  本発明の実施の形態１に係る記録再生装置の構成図である。
【図２】  本発明の実施の形態１における情報テーブルの関連を示す図である。
【図３】  本発明の実施の形態１の実施例に係る記録再生装置の構成図である。
【図４】  本発明の実施の形態１の変形例（１）における情報テーブルの関連を示す図である。
【図５】  本発明の実施の形態１の変形例（２）における情報テーブルの関連を示す図である。
【図６】  本発明の実施の形態１の変形例（３）における情報テーブルの関連を示す図である。
【図７】  本発明の実施の形態２に係る記録再生装置の構成図である。
【図８】  本発明の実施の形態２の実施例に係る記録再生装置の構成図である。
【図９】  本発明の実施の形態３に係る記録再生装置の構成図である。
【図１０】  本発明の実施の形態３の実施例に係る記録再生装置の構成図である。
【図１１】  本発明の実施の形態４に係る記録再生装置の構成図である。
【図１２】  本発明の実施の形態４の実施例に係る記録再生装置の構成図である。
【図１３】  本発明の実施の形態４の変形例（１）に係る記録再生装置の構成図である。
【図１４】  本発明の実施の形態４の変形例（１）の実施例に係る記録再生装置の構成図である。
【図１５】  本発明の実施の形態４の変形例（２）に係る記録再生装置の構成図である。
【図１６】  本発明の実施の形態４の変形例（２）の実施例に係る記録再生装置の構成図である。
【図１７】  本発明の実施の形態５に係る記録再生装置を内蔵するデジタル放送受信機の構成図である。
【図１８】  従来の記録再生装置の構成図である。
【符号の説明】
１０１  データ記録部、１０２  データ記録・読み出し回路、１０３  指示回路、１０４  記録情報記憶回路、１０５  検索情報テーブル、１０６  位置情報テーブル、１０７  記録可能位置情報テーブル、１０８  付帯情報テーブル、１１１  ハードディスク、１１２  ハードディスク制御回路、１１３  マイクロコンピュータ、１１４  記録情報記憶回路、１２４  不揮発性メモリ、１３４  記録情報記憶回路、１４４  不揮発性メモリ、２０１  第１記憶回路、２０２  第２記憶回路、２１１  不揮発性メモリ、２１２  揮発性メモリ、２２２  メモリ、３０１  記録媒体、３１１  ハードディスク、３２１  記録媒体、３３１  ハードディスク、４０５  複製検索情報テーブル、４０６  複製位置情報テーブル、４０７  複製記録可能位置情報テーブル、４０８  複製付帯情報テーブル、５０１  デジタル放送チューナ、５０２  記録再生装置、５０３  選択回路、５０４  デコード処理回路、５０５  動作制御回路。
【図１】
0003831175.tif 000002
【図２】
0003831175.tif 000003
【図３】
0003831175.tif 000004
【図４】
0003831175.tif 000005
【図５】
0003831175.tif 000006
【図６】
0003831175.tif 000007
【図７】
0003831175.tif 000008
【図８】
0003831175.tif 000009
【図９】
0003831175.tif 000010
【図１０】
0003831175.tif 000011
【図１１】
0003831175.tif 000012
【図１２】
0003831175.tif 000013
【図１３】
0003831175.tif 000014
【図１４】
0003831175.tif 000015
【図１５】
0003831175.tif 000016
【図１６】
0003831175.tif 000017
【図１７】
0003831175.tif 000018
【図１８】
0003831175.tif 000019